(57)【特許請求の範囲】
【請求項１】
合成樹脂製のケースと、前記ケースの上壁に開口して設けられて相手側部材が装着される装着部と、前記ケース内に収容される回路基板と、前記ケース内のうち装着部の下方の位置に配されると共に前記回路基板の上方を覆う上枠部と、前記上枠部の側縁から下方に延びると共に前記回路基板の側方に位置して配される側枠部と、前記上枠部及び前記側枠部に形成されて、前記上枠部の上面に落下した水を前記側枠部に案内した後に前記側枠部の下端部にまで案内する排水経路と、前記ケースの上壁から下方に垂下して形成されて弾性変形可能な弾性撓み片と、前記弾性撓み片の下端部に前記弾性撓み片の延びる方向と交差する方向に突出して設けられたロック突部と、前記上枠部又は前記側枠部に設けられて前記ロック突部に係合するロック受け部と、を備え、
前記ケースには前記排水経路の下端縁に対応する位置に排水部が開口して設けられており、前記ケースの上壁のうち前記装着部と異なる位置には、前記弾性撓み片及び前記ロック突部を成形するための型抜き孔が、前記排水経路に連通すると共に前記排水部の鉛直上方の位置に設けられている電気接続箱。
【請求項２】
前記排水経路は、前記上枠部の上面に形成されて前記側枠部に向かうに従って下降傾斜する傾斜面と、前記側枠部の外側面に上下方向に延びて形成された溝部と、を含む請求項１に記載の電気接続箱。
【請求項３】
前記弾性撓み片の下端部は前記溝部内に位置して配されている請求項２に記載の電気接続箱。
【請求項４】
前記弾性撓み片は、前記側枠部の外面に接近する方向に撓み変形可能に配されており、前記側枠部の外面には前記弾性撓み片から逃げる逃げ凹部が形成されている請求項３に記載の電気接続箱。
【発明の詳細な説明】
【技術分野】
【０００１】
本発明は、ケース内に回路基板が収容される電気接続箱に関する。
【背景技術】
【０００２】
従来より、車両に搭載されて、ランプ、ホーン等の車載電装品の通電、及び断電を実行する電気接続箱として、特許文献１に記載のものが知られている。この電気接続箱は、ケース内に、電子部品が実装された回路基板を収容してなる。ケースの上部には、上方に開口して、コネクタ等の相手側部材を装着可能な装着部が形成されている。ケースは、下側に位置するロアケースと、上側に位置してロアケースに装着されるアッパーケースとからなる。
【０００３】
例えば、電気接続箱が車両のエンジンルーム内に収容された場合、降雨時や洗車時等、電気接続箱に水が降りかかると、ケースの上部に形成された装着部からケース内に水が浸入することが懸念される。
【０００４】
上記の電気接続箱においては、装着部の下方に、装着部内に収容される接続端子が取り付けられるコネクタ本体が設けられており、このコネクタ本体の上面には、ケース内に浸入した水をコネクタ本体の端部から排水するための傾斜面が形成されている。傾斜面の端部は排水口とされる。この排水口の下方には下方に開口するダクトが形成されており、排水口から流出した水がケースの外部に排出されるようになっている。
【０００５】
上記したロアケースと、アッパーケースとは、例えば特許文献２に示されるように、アッパーケースに設けられた係止部と、ロアケースに設けられた被係止部とをロック係止することにより一体に組み付けることができる。
【特許文献１】特開２００３−３４８７３２公報
【特許文献２】特開２００３−８７９３８公報
【発明の開示】
【発明が解決しようとする課題】
【０００６】
しかしながら、上記の構成によると、電気接続箱に水が降りかかった場合に、アッパーケースに設けられた係止部からケース内に水が浸入することが懸念される。ケースの装着部と異なる部分からケース内に水が浸入すると、ケース内に浸入した水が、上述した経路（装着部からケース内に浸入した水がコネクタ本体の上面を経由してダクトを通ってケースの外部に排出される経路）を通らずにケース内を移動し、回路基板に付着することが懸念される。
【０００７】
本発明は上記のような事情に基づいて完成されたものであって、ケース内へ浸入した水が回路基板へ付着することが抑制された電気接続箱を提供することを目的とする。
【課題を解決するための手段】
【０００８】
本発明は、電気接続箱であって、合成樹脂製のケースと、前記ケースの上壁に開口して設けられて相手側部材が装着される装着部と、前記ケース内に収容される回路基板と、前記ケース内のうち装着部の下方の位置に配されると共に前記回路基板の上方を覆う上枠部と、前記上枠部の側縁から下方に延びると共に前記回路基板の側方に位置して配される側枠部と、前記上枠部及び前記側枠部に形成されて、前記上枠部の上面に落下した水を前記側枠部に案内した後に前記側枠部の下端部にまで案内する排水経路と、前記ケースの上壁から下方に垂下して形成されて弾性変形可能な弾性撓み片と、前記弾性撓み片の下端部に前記弾性撓み片の延びる方向と交差する方向に突出して設けられたロック突部と、前記上枠部又は前記側枠部に設けられて前記ロック突部に係合するロック受け部と、を備え、前記ケースには前記排水経路の下端縁に対応する位置に排水部が開口して設けられており、前記ケースの上壁のうち前記装着部と異なる位置には、前記弾性撓み片及び前記ロック突部を成形するための型抜き孔が、前記排水経路に連通すると共に前記排水部の鉛直上方の位置に設けられている。
【０００９】
まず、ケースの上壁に開口して設けられた装着部からケース内に水が浸入すると、ケース内に浸入した水は装着部内を下方に流下し、装着部の下方の位置に配された上枠部の上面に落下する。上枠部は回路基板の上方を覆っているので、回路基板に水が付着することを抑制できる。
【００１０】
上枠部の上面に落下した水は、排水経路に案内されて側枠部に移動する。側枠部に移動した水は、排水経路に案内されて下方に移動する。側枠部は回路基板の側方の位置に配されており、溝部は側枠部の外側面に形成されているので、排水経路を流下する水が回路基板に付着することを抑制できる。
【００１１】
側枠部の下端部にまで達した水は、ケースのうち排水経路の下端縁に対応する位置に開口して設けられた排出部からケース外に排出される。これにより、ケース内に浸入した水が回路基板に付着することを抑制できる。
【００１２】
また、本発明によれば、ケースの型抜き孔からケース内に浸入した水は、型抜き孔と連通する排水経路内に流下する。すると、水は、排水経路に案内されて排出部からケースの外部に排出される。これにより、ケース内に浸入した水が回路基板に付着することを抑制できる。
【００１３】
本発明の実施態様としては以下の構成が好ましい。
前記排水経路は、前記上枠部の上面に形成されて前記側枠部に向かうに従って下降傾斜する傾斜面と、前記側枠部の外側面に上下方向に延びて形成された溝部と、を含む構成としてもよい。
【００１４】
上記の構成によれば、上枠部の上面に滴下した水は、上枠部の上面に形成された傾斜面を流下し、側枠部に移動する。側枠部に移動した水は、側枠部の外側面に上下方向に延びて形成された溝部に案内されて、下方へと流下する。溝部の下端縁にまで達した水は、下方に流下し、ケースのうち溝部の下端縁に対応する位置に開口して設けられた排水部から、ケースの外部へと排出される。
【００１５】
前記弾性撓み片の下端部は前記溝部内に位置して配されていてもよい。
【００１６】
型抜き孔からケース内に浸入した水は、弾性撓み片の外面に付着して流下し、弾性撓み片の下端部に達する。上記の構成によれば、弾性撓み片の下端部に達した水は、溝部内に位置する弾性撓み片の下端部から、確実に溝部内に流下する。これにより、ケース内に浸入した水が回路基板に付着することを確実に抑制できる。
【００１７】
前記弾性撓み片は、前記側枠部の外面に接近する方向に撓み変形可能に配されており、前記側枠部の外面には前記弾性撓み片から逃げる逃げ凹部が形成されていてもよい。
【００１８】
弾性撓み片を側枠部の外面から離間する方向に撓み変形可能に配する構成の場合、弾性撓み片の撓み空間を確保するために、ケースの側壁を、側枠部の外面から離間する方向に大型化する必要がある。これは、電気接続箱が大型化するので好ましくない。
【００１９】
上記の構成によれば、弾性撓み片の撓み空間を確保するために、ケースを大型化する必要がない。これにより、弾性撓み片を側枠部の外面から離間する方向に撓み変形可能に配する場合に比べて電気接続箱を小型化できる。
【発明の効果】
【００２０】
本発明によれば、ケース内へ浸入した水が回路基板へ付着することを抑制できる。
【発明を実施するための最良の形態】
【００２１】
本発明を、車両（図示せず）に搭載される電気接続箱１０に適用した一実施形態について、図１ないし図５を参照しつつ説明する。本実施形態に係る電気接続箱１０は、ケース１１内に回路基板１２を収容してなる。この電気接続箱１０は、電源（図示せず）と、ランプ、ホーン等の車載電装品（図示せず）との間に配されて、車載電装品に対して通電、及び断電を実行する。なお、以下の説明においては、図１における上方を上方とし、下方を下方とする。また、図５における左側を表側とし、右側を裏側とする。
【００２２】
（ケース１１）
図１ないし図５に示すように、ケース１１は合成樹脂製であって、下方に開口している。ケース１１は、図１における右手前側から左奥側へ向かう方向の幅寸法よりも、左手前側から右奥側へ向かう方向（表裏方向）の厚さ寸法が小さく設定された、扁平な形状をなしている。図４に示すように、ケース１１の上壁には、相手側コネクタ１３（本発明の相手側部材に相当）を装着するための上側コネクタハウジング１４（本発明の装着部に相当）と、ヒューズ１５（本発明の相手側部材に相当）が装着される複数（本実施形態では３つ）のヒューズ装着部１６（本発明の装着部に相当）と、上方に開口してが形成されている。
【００２３】
図５に示すように、上側コネクタハウジング１４の内部には、上側コネクタハウジング１４の奥壁を貫通して端子金具１７Ａが配されている。端子金具１７Ａの下端部は裏側（図５における右側）に曲げ形成されて、回路基板１２に形成された挿通孔１８内に挿通されて、回路基板１２に形成された導電路（図示せず）と、例えば半田付けにより接続されている。
【００２４】
また、ヒューズ装着部１６の内部には、ヒューズ装着部１６の奥壁を貫通して端子金具１７Ｂが配されている。端子金具１７Ｂの下端部は裏側に曲げ形成されて、回路基板１２に形成された挿通孔１８に挿通されて、回路基板１２に形成された導電路と、例えば半田付け等公知の手法により接続されている。
【００２５】
（回路基板１２）
図５に示すように、ケース１１内には、ケース１１の上壁に対して略垂直な姿勢で（いわゆる縦置き配置で）、回路基板１２が収容されている。回路基板１２の表面には、プリント配線技術により図示しない導電路が形成されている。回路基板１２の表面には、リレー等の電子部品１９が実装されており、上述した導電路に、例えば半田付け等公知の手法により接続されている。
【００２６】
（枠体２０）
図３に示すように、ケース１１内には、回路基板１２の外周を取り囲むように合成樹脂製の枠体２０が収容されている。なお、図３は、図４とは異なる断面についての断面図なので、図４とは左右方向が反転している。
【００２７】
図４及び図５に示すように、枠体２０は、ケース１１の上壁に形成された上側コネクタハウジング１４及びヒューズ装着部１６の下方に位置して、回路基板１２の上方を覆う上枠部２１と、この上枠部２１の図４における左右両端縁から下方に延びて、回路基板１２の側縁の側方に位置して配される２つの側枠部２２と、この側枠部２２の下端縁を掛け渡すように形成されて、回路基板１２の下方に位置する下枠部２３と、を備える。
【００２８】
図５に示すように、枠体２０の裏面（図５における右側の面）には、回路基板１２を収容するための基板収容部２４が、表側（図５における左側）に陥没して形成されている。回路基板１２と枠体２０とは、基板収容部２４に形成されたねじ孔２５にボルト２６が螺合されることによりネジ止めされている。基板収容部２４の陥没深さ寸法は、回路基板１２の厚さ寸法と、ボルト２６の頭部の高さ寸法との和に対して、同じか、やや小さく設定されている。
【００２９】
図４に示すように、枠体２０の下枠部２３の下面には、下方に開口して相手側コネクタ２７と嵌合可能な複数（本実施形態では３つ）の下側コネクタハウジング２８が形成されている。
【００３０】
図５に示すように、下側コネクタハウジング２８の内側には、下側コネクタハウジング２８の奥壁を貫通して端子金具１７Ｃが配されている。端子金具１７Ｃの上端部は裏側（図５における右側）に曲げ形成されて、回路基板１２に形成された挿通孔１８内に挿通された状態で、回路基板１２に形成された導電路（図示せず）と、例えば半田付けにより接続されている。
【００３１】
図４に示すように、枠体２０には、上側コネクタハウジング１４内に配される端子金具１７と、ヒューズ装着部１６内に配される端子金具１７と、下側コネクタハウジング２８内に配される端子金具１７と、がモールド成形されている。これにより、各端子金具１７は、枠体２０に対して液密的に貫通している。
【００３２】
図４に示すように、上枠部２１には、上側コネクタハウジング１４内に配される端子金具１７Ａと、ヒューズ装着部１６内に配される端子金具１７Ｂと、が貫通している。各端子金具１７Ａ，１７Ｂは、各端子金具１７Ａ，１７Ｂのうち曲げ形成された領域が上枠部２１内に配された状態でモールド成形されている。
【００３３】
また、図４に示すように、下枠部２３には、下側コネクタハウジング２８内に配される端子金具１７Ｃが貫通している。この端子金具１７Ｃは、端子金具１７Ｃのうち、曲げ形成された領域が下枠部２３内に配された状態でモールド成形されている。
【００３４】
（排水構造）
図４に示すように、上枠部２１の上面には、図４における左右両端部に位置する一対の側枠部２２からの距離が略等しい位置（図４における左右方向の中央付近）を頂点として、図４における左右方向両端部に位置する側枠部２２に向かって下降傾斜する傾斜面２９が形成されている。図４に示すように、傾斜面２９は、表裏方向（図４において紙面を貫通する方向)から見て、山形をなしている。この傾斜面２９は、ケース１１の上壁に形成された上側コネクタハウジング１４及びヒューズ装着部１６の下方の位置に配されている。
【００３５】
図５に示すように、上枠部２１のうち表側（図５における左側）に位置する端縁と、裏側（図５における右側）に位置する端縁と、には、それぞれ、上方に突出する第１止水壁３０が形成されている。
【００３６】
また、図５に示すように、ケース１１の上壁の下面には、第１止水壁３０を収容する止水溝３１が上方に陥没して形成されている。これにより、第１止水壁３０と、止水溝３１との間には、入り組んだ構造が形成される。これにより、上枠部２６の上面に落下した水が第１止水壁３０を回り込んで回路基板１２に移動することが抑制される。
【００３７】
図３に示すように、一対の側枠部２２の外側面（図３における左右両側方に位置する側面）には、それぞれ、上下方向に延びる溝部３３が形成されている。図２に示すように、溝部３３は、側枠部２２のうち表側（図２における上側）に位置する端縁と、裏側（図２における下側）に位置する端縁と、にそれぞれ、外方に突出して形成された一対の側壁３２に囲まれて形成されている。
【００３８】
図３に示すように、側枠部２２には、溝部３３を構成する一対の側壁３２の先端縁に掛け渡されて溝部３３を覆う蓋部３８が形成されている。蓋部３８は、溝部３３の上端部から下端部に至るまでを覆っている。
【００３９】
上述した、傾斜面２９と、溝部３３と、を含んで、上枠部２１の上面に落下した水を側枠部２２に案内した後に側枠部２２の下端部にまで案内する経路は、排水経路４２とされる。
【００４０】
図４に示すように、ケース１１のうち排水経路４２の下端縁（溝部３３の下端縁）に対応する位置には、排水部３４が開口して形成されている。本実施形態においては、ケース１１は下方に開口して形成されているので、ケース１１の開口のうち溝部３３の下端縁に対応する位置が排水部３１に対応する。
【００４１】
図４に示すように、下枠部２３の下面には、下側コネクタハウジング２８と、溝部３３の下端縁との間の位置に、下方に垂下する一対の第２止水壁３５が形成されている。
【００４２】
図４における左側に位置する第２止水壁３５は、下側コネクタハウジング２８を構成する壁部を兼ねる。また、図４における右側に位置する第２止水壁３５は、図４における右端側に位置する溝部３３を構成する壁部を兼ねる。
【００４３】
図５に示すように、第２止水壁３５の下端縁は、下側コネクタハウジング２８に嵌合した相手側コネクタ２７の下端縁よりも下方に位置して形成されている。
【００４４】
また、図５に示すように、ケース１１の側壁の下端縁は、下側コネクタハウジング２８に嵌合した状態における相手側コネクタ２７の下端縁よりも下方に位置して形成されている。
【００４５】
（ロック構造）
図４に示すように、ケース１１の上壁には、図４における左右両端部寄りの位置に、下方に垂下する一対の弾性撓み片３６が形成されている。この弾性撓み片３６は、略板状をなしており、図４における左右方向に弾性変形可能に形成されている。各弾性撓み片３６の下端部には、図４における左右方向外側に向かって突出して、ロック突部３７が形成されている。
【００４６】
ロック突部３７の下端部のうち、図４における左右方向外側の面は、上方に向かうに従って左右方向外側に広がるように傾斜して形成されている。ロック突部３７の下端部のうち、図４における左右方向内側の面は、左右方向外側にやや切り欠いて形成されている。
【００４７】
ロック突部３７の上端部は、弾性撓み片３６の板面に対して切り立って形成されている。
【００４８】
図４に示すように、側枠部２２に設けられた蓋部３８の上端部寄りの位置には、図４における左右方向内方に向かって突出する一対のロック受け部３９が形成されている。ロック受け部３９の上端部のうち、図４における左右方向内側の角部は切り欠かれている。
【００４９】
ロック受け部３９の下端部は、蓋部３８の壁面に対して切り立って形成されている。
【００５０】
このロック受け部３９と、上述したロック突部３７とが係合することにより、ケース１１と枠体２０とが一体に組み付けられるようになっている。詳細には、図４に示すように、ロック突部３７に対してロック受け部３９が上方から当接することにより、枠体２０が下方に移動することが規制されている。この状態において、蓋部３８の上端部は、ケース１１の上壁の内面に下方から当接するようになっている。
【００５１】
弾性撓み片３６の下端部は、側枠部２２の溝部３３内に位置して配されている。詳細には、弾性撓み片３６の下端部は、溝部３３の底面と、蓋部３８との間に挟まれた空間内に位置している。
【００５２】
溝部３３の底面のうち、弾性撓み片３６と対向する領域は、図４における左右方向内方に陥没して形成されており、弾性撓み片３６が弾性変形する際に弾性撓み片３６から逃げる逃げ凹部４０とされる。この逃げ凹部４０により、弾性撓み片３６が弾性変形する際の撓み空間が形成される。
【００５３】
ケース１１の上壁には、図４における左右両端部寄りの位置に、上下方向に開口して、弾性撓み片３６を形成するための一対の型抜き孔４１が形成されている。この型抜き孔４１は、排水経路４２に連通して形成されている。詳細には、上枠部２１の上面に形成された傾斜面２９及び側枠部２２に形成された溝部３３と、ケース１１との間の空間に連通して形成されている。
【００５４】
図１に示すように、型抜き孔４１は、ケース１１の上面と側面とを滑らかに連結する曲面部分に位置して形成されている。型抜き孔４１の開口縁の形状は、略矩形状をなしている。
【００５５】
図４に示すように、弾性撓み片３６は、型抜き孔４１の内側面のうち、図４における左右方向内側の側面から左右方向外方に突出した後、下方に曲がって形成されている。
【００５６】
続いて、本実施形態の作用、効果について説明する。図４に示すように、降雨時、洗車時等、電気接続箱１０に水が降りかかると、ケース１１の上壁に開口して設けられた上側コネクタハウジング１４、及びヒューズ装着部１６からケース１１内に水が浸入する（矢線Ａ参照）。すると、ケース１１内に浸入した水は下方に流下し、上側コネクタハウジング１４、及びヒューズ装着部１６の下方の位置に配された上枠部２１の上面に落下する。この上枠部２１は回路基板１２の上方を覆っているので、回路基板１２に水が付着することを抑制できる。
【００５７】
上枠部２１の上面に滴下した水は、上枠部２１の上面に形成された傾斜面２９を流下し、図４における左右両側に配された側枠部２２に移動する（矢線Ｂ，Ｃ参照）。側枠部２２に移動した水は、側枠部２２の外側面に上下方向に延びて形成された溝部３３によって案内されて、溝部３３内を下方へと流下する（矢線Ｄ，Ｅ参照）。側枠部２２は回路基板１２の側方の位置に配されており、溝部３３は側枠部２２の外側面に形成されているので、溝部３３を流下する水が回路基板１２に付着することを抑制できる。
【００５８】
溝部３３の下端縁にまで達した水は、ケース１１のうち溝部３３の下端縁に対応する位置に設けられた排水部３４から、ケース１１の外部へと排出される（矢線Ｆ，Ｇ参照）。これにより、ケース１１内に浸入した水が回路基板１２に付着することを抑制できる。
【００５９】
また、ケース１１の上壁に開口された型抜き孔４１からケース１１内に水が浸入すると（矢線Ｈ参照）、この水は、型抜き孔４１が連通する排水経路４２内に流下する。詳細には、水は、上枠部２１の傾斜面２９の上面又は側枠部２２の溝部３３内に流下する。その後、水は、傾斜面２９又は溝部３３を流下して、排水部３４からケース１１の外部に排出される。これにより、ケース１１内に浸入した水が回路基板１２に付着することを抑制できる。
【００６０】
さらに、本実施形態においては、弾性撓み片３６の下端部は溝部３３内に位置して配されている。このため、型抜き孔４１からケース１１内に浸入した水は、弾性撓み片３６の外面に付着して流下し、弾性撓み片３６の下端部に達した後、溝部３３内に位置する弾性撓み片３６の下端部から、確実に溝部３３内に流下する。これにより、ケース１１内に浸入した水が回路基板１２に付着することを確実に抑制できる。
【００６１】
また、例えば、車両が縁石に乗り上げた状態で停車するなど、電気接続箱１０が傾いた姿勢となった場合に、溝部３３の下端縁に達した水が、下枠部２３の下面を流下して、下側コネクタハウジング２８に達し、下側コネクタハウジング２８内に浸入することが懸念される。
【００６２】
上記の点に鑑み、本実施形態においては、下枠部２３の下面には、下側コネクタハウジング２８と溝部３３の下端縁との間の位置に、下方に垂下する一対の第２止水壁３５が形成されている。この第２止水壁３５により、溝部３３の下端縁に達した水が、下枠部２３の下面を流下して下側コネクタハウジング２８内に流入することを抑制できる。
【００６３】
また、本実施形態においては、第２止水壁３５の下端縁は、下側コネクタハウジング２８に嵌合した相手側コネクタ２７の下端縁よりも下方に位置して形成されている。これにより、第２止水壁３５の表面に付着して流下した水が、第２止水壁３５の下端縁に達した場合に、この水が下側コネクタハウジング２８と嵌合した状態における相手側コネクタ２７の下端縁に付着することを抑制できる。この結果、相手側コネクタ２７の下端縁に水が付着して、下側コネクタハウジング２８と相手側コネクタ２７との隙間から毛細管現象によって水が下側コネクタハウジング２８内に浸入することを確実に抑制できる。
【００６４】
また、本実施形態においては、第２止水壁３５は、下側コネクタハウジング２８を構成する壁部を兼ねている。これにより、下側コネクタハウジング２８の直近の位置において水の浸入を規制できるので、下側コネクタハウジング２８への水の浸入を効果的に抑制できる。
【００６５】
また、本実施形態においては、第２止水壁３５は、溝部３３を構成する壁部を兼ねている。これにより、第２止水壁３５を別途設ける場合に比べて構造を簡素化できる。
【００６６】
また、ケース１１と、枠体２０とは以下のようにして組み付けられる。まず、下方に開口するケース１１の開口内に、枠体２０を下方から挿入する。すると、ケース１１の弾性撓み片３６の下端部に形成されたロック突部３７に、枠体２０のロック受け部３９が下方から当接する。このとき、ロック突部３７のうち図４における左右方向外側の面は傾斜して形成されており、また、ロック受け部３９の左右方向内側の角部は切り欠いて形成されているので、ロック突部３７は、ロック受け部３９の左右方向内側の面に乗り上がる。
【００６７】
すると、ロック突部３７は、図４における左右方向内方に弾性撓み変形する。このとき、枠体２０の外面に形成された溝部３３には、ロック突部３７と対向する面に、図４における左右方向内側に陥没して形成された逃げ凹部４０が形成されているので、弾性撓み片３６が溝部３３と干渉することが抑制される。さらに、ロック突部３７の下端部のうち図４における左右方向内側は切り欠かれているので、弾性撓み片３６と溝部３３とが干渉することを一層確実に抑制できる。
【００６８】
さらに枠体２０をケース１１内に挿入すると、ロック突部３７がロック受け部３９を乗り越えて、弾性撓み片３６が復帰変形する。すると、ロック突部３７の上端部に、ロック受け部３９の下端部が上方から当接し、枠体２０が下方に変位することが規制される。このとき、枠体２０の蓋部３８の上端部は、ケース１１の上壁の内面に下方から当接し、枠体２０が上方に移動することが規制される。これにより、ケース１１と枠体２０とが一体に組み付けられる。
【００６９】
本実施形態によれば、溝部３３には逃げ凹部４０が形成されているので、弾性撓み片３６が弾性変形した場合に、弾性撓み片３６が溝部３３と干渉することが抑制される。
【００７０】
また、弾性撓み片３６は側枠部２２の外面に接近する方向に撓み変形可能に配されているので、弾性撓み片３６の撓み空間を、側枠部２２の外面から離間する方向に確保しなくてもよい。これにより、弾性撓み片３６を側枠部２２の外面から離間する方向に撓み変形可能に配する場合に比べて電気接続箱１０を小型化できる。
【００７１】
＜他の実施形態＞
本発明は上記記述及び図面によって説明した実施形態に限定されるものではなく、例えば次のような実施形態も本発明の技術的範囲に含まれる。
（１）本実施形態においては、排水経路４２として、上枠部２１には、傾斜面２９を形成する構成としたが、これに限られず、上枠部２１の上面に、側枠部２２に向かって階段状に下降する複数の段差を形成してもよい。
（２）本実施形態においては、回路基板１２は、ケース１１の上壁に対して略垂直な姿勢でケース１１内に収容される構成としたが、これに限られず、ケース１１の上壁に対して略水平な姿勢で（いわゆる横置き配置）、ケース１１内に収容してもよいし、必要に応じて、ケース１１内において任意の姿勢で収容することができる。
（３）本実施形態においては、弾性撓み片３６の下端部は溝部３３内に位置する構成としたが、これに限られず、弾性撓み片３６の下端部は、溝部３３の外部に位置して配される構成としてもよい。
（４）本実施形態においては、側枠部２２の上端部には逃げ凹部４０が形成される構成としたが弾性撓み片３６の撓み空間をケース１１側に設ける場合には、逃げ凹部４０は省略できる。
（５）弾性撓み片３６は、下方に延びる弾性撓み片３６と交差する方向であれば、必要に応じて任意の方向に弾性撓み変形可能とすることができる。また、弾性撓み片３６の撓み方向に応じて、ロック突部３７の突出方向も、必要に応じて任意の方向に突出させることができる。
（６）本実施形態においては、ロック受け部３９は、側枠部２２の蓋部３８に形成したが、上枠部２１に形成してもよい。
（７）本実施形態においては、ケース１１は下方に開口する構成としたが、これに限られず、ケース１１は、下壁を有し、この下壁のうち溝部３３に対応する位置に開口して排水部３４を形成する構成としてもよい。
【図面の簡単な説明】
【００７２】
【図１】本発明の一実施形態に係る電気接続箱を示す斜視図
【図２】枠体を示す斜視図
【図３】枠体を示す断面図
【図４】図１におけるＩＶ−ＩＶ線断面図
【図５】図１におけるＶ−Ｖ線断面図
【符号の説明】
【００７３】
１０…電気接続箱
１１…ケース
１２…回路基板
１４…上側コネクタハウジング（装着部）
１６…ヒューズ装着部（装着部）
２１…上枠部
２２…側枠部
２９…傾斜面
３３…溝部
３４…排水部
３６…弾性撓み片
３７…ロック突部
３９…ロック受け部
４０…逃げ凹部
４１…型抜き孔
４２…排水経路
【図１】
0005125763.tif 000002
【図２】
0005125763.tif 000003
【図３】
0005125763.tif 000004
【図４】
0005125763.tif 000005
【図５】
0005125763.tif 000006